(57)【要約】【課題】リーダで読み取ることができる距離を変更可能なアンテナ部材及びＲＦＩＤタグを提供すること。【解決手段】ＲＦＩＤタグ１に用いられるアンテナ部材１０であって、導電性材料で平面視矩形に形成される平板状の本体部１１０と、本体部１１０を厚さ方向に貫通する孔部１２０と、を備え、孔部１２０は、本体部１１０の両端もしくは一端に配置される主孔部１２１と、主孔部１２１に連設して本体部１１０の長さ方向Ｌに沿って伸びる長孔部１２２と、本体部の幅方向Ｗの一端から長孔部１２２の幅方向Ｗの一端に向けて凹む凹条部１２３であって、長孔部１２２の幅方向Ｗに並設される凹条部１２３と、を有する。【選択図】図２
2020184653.tif 000002
【特許請求の範囲】
【請求項１】
ＲＦＩＤタグに用いられるアンテナ部材であって、
導電性材料で平面視矩形に形成される平板状の本体部と、
前記本体部を厚さ方向に貫通する孔部と、
を備え、
前記孔部は、
前記本体部の両端もしくは一端に配置される主孔部と、
前記主孔部に連設して前記本体部の長さ方向に沿って伸びる長孔部と、
前記本体部の幅方向の一端から前記長孔部の幅方向の一端に向けて凹む凹条部であって、前記長孔部の幅方向に並設される凹条部と、
を有するアンテナ部材。
【請求項２】
前記本体部は、前記凹条部の表面から突出して、長さ方向に沿って伸びる突出部をさらに備える請求項１に記載のアンテナ部材。
【請求項３】
前記突出部は、互いに対向する方向に一対に伸びる請求項２に記載のアンテナ部材。
【請求項４】
前記突出部は、前記本体部の幅方向の一端に配置される請求項２または３に記載のアンテナ部材。
【請求項５】
請求項１から４のいずれかに記載のアンテナ部材と、
ＩＣと、
前記アンテナ部材及び前記ＩＣに絶縁層を介して重ねて配置される導電層と、
を備えるＲＦＩＤタグ。
【発明の詳細な説明】
【技術分野】
【０００１】
本発明は、アンテナ部材及びＲＦＩＤタグに関する。
【背景技術】
【０００２】
従来より、ＩＣチップにアンテナを接続したＲＦＩＤタグが知られている。ＲＦＩＤタグは、ＩＣチップに記憶されている情報をリーダに対して非接触で出力可能になっている。このようなＲＦＩＤタグには、例えば、自ら電源を備えているアクティブタイプや、リーダから照射されるＵＨＦ帯やマイクロ波等の電波をエネルギーとして駆動するパッシブタイプ等のいくつかの種類がある。
【０００３】
このうち、パッシブタイプのＲＦＩＤタグは、安価であることから、流通や物品管理等の多様な用途に用いられている。このようなＲＦＩＤとして、小型化することが可能なＲＦＩＤタグが提案されている（例えば、特許文献１参照）。
【先行技術文献】
【特許文献】
【０００４】
【特許文献１】特許第４４９８３６４号公報
【発明の概要】
【発明が解決しようとする課題】
【０００５】
特許文献１では、矩形状に折り曲げたアンテナを採用することで、ＲＦＩＤタグを小型化している。これに加え、金属に貼付しても放射可能であり、リーダライタで読み取りが可能なアンテナを採用したＲＦＩＤタグであれば好適である。さらには、貼付先の金属体との間の磁界の打ち消しがあったとしても、通信可能なアンテナを採用したＲＦＩＤタグであれば好適である。
【０００６】
本発明は、金属に貼付しても通信可能なアンテナ部材及びＲＦＩＤタグを提供することを目的とする。
【課題を解決するための手段】
【０００７】
本発明は、ＲＦＩＤタグに用いられるアンテナ部材であって、導電性材料で平面視矩形に形成される平板状の本体部と、前記本体部を厚さ方向に貫通する孔部と、を備え、前記孔部は、前記本体部の一端もしくは両端に配置される主孔部と、前記主孔部に連設して前記本体部の長さ方向に沿って伸びる長孔部と、前記本体部の幅方向の一端から前記長孔部の幅方向の一端に向けて凹む凹条部であって、前記長孔部の幅方向に並設される凹条部と、を有するアンテナ部材に関する。
【０００８】
また、アンテナ部材は、前記本体部は、前記凹条部の表面から突出して、長さ方向に沿って伸びる突出部をさらに備えるのが好ましい。
【０００９】
また、前記突出部は、互いに対向する方向に一対に伸びるのが好ましい。
【００１０】
また、前記突出部は、前記本体部の幅方向の一端に配置されるのが好ましい。
【００１１】
また、本発明は、上記いずれかのアンテナ部材と、ＩＣと、前記アンテナ部材及び前記ＩＣに絶縁層を介して重ねて配置される導電層と、を備えるＲＦＩＤタグに関する。
【発明の効果】
【００１２】
本発明によれば、金属に貼付しても通信可能なアンテナ部材及びＲＦＩＤタグを提供することができる。
【図面の簡単な説明】
【００１３】
【図１】本発明の一実施形態に係るＲＦＩＤタグを示す断面図である。
【図２】一実施形態のＲＦＩＤタグのアンテナ部材を示す平面図である。
【図３】一実施形態のＲＦＩＤタグの作用状態を示す平面図である。
【図４】一実施形態のＲＦＩＤタグの第２実施例を示す平面図である。
【図５】一実施形態のＲＦＩＤタグの第３実施例を示す平面図である。
【図６】一実施形態のＲＦＩＤタグの第４実施例を示す平面図である。
【図７】一実施形態のＲＦＩＤタグの第１比較例を示す平面図である。
【図８】一実施形態のＲＦＩＤタグの第２比較例を示す平面図である。
【図９】一実施形態のＲＦＩＤタグの第３比較例を示す平面図である。
【発明を実施するための形態】
【００１４】
以下、本発明の一実施形態に係るアンテナ部材１０及びＲＦＩＤタグ１について、図１から図９を参照して説明する。
まず、本実施形態に係るＲＦＩＤタグ１について、図１を参照して説明する。
【００１５】
ＲＦＩＤタグ１は、外部から照射される電波から変換した電力を用いて、内部に記憶されている情報を含む電波を放射可能な装置である。本実施形態に係るＲＦＩＤタグ１は、特に、アルミ等の金属面に貼付されて用いられ得るＲＦＩＤタグ１である。ＲＦＩＤタグ１は、図１に示すように、アンテナ部材１０、アンテナ基材層２０、ＩＣ３０、第１絶縁層４０、導電層５０、第２絶縁層６０、及び離型紙層７０を備える。
【００１６】
アンテナ部材１０は、導電性材料で板状に形成される。アンテナ部材１０は、例えば、９μｍ程度の厚さで形成される。アンテナ部材１０については、後述する。
【００１７】
アンテナ基材層２０は、アンテナ部材１０の一面に重ねて配置される。アンテナ基材層２０は、例えば、誘電材料または絶縁材料で形成される。アンテナ基材層２０は、例えば、ＰＥＴ（Polyethylene terephthalate）を用いて形成される。アンテナ基材層２０は、例えば、３８μｍ程度の厚さで形成される。
【００１８】
ＩＣ３０は、アンテナ部材１０の他面に重ねて配置される。ＩＣ３０は、アンテナ部材１０と通信する。ＩＣ３０は、例えば、２００μｍ程度の厚さで形成される。
【００１９】
第１絶縁層４０は、アンテナ部材１０の他面と、ＩＣ３０とに一面を重ねて配置される。第１絶縁層４０は、例えば、両面テープである。第１絶縁層４０は、例えば、ゴム糊と、スフ（レーヨン）とを用いて形成される。第１絶縁層４０は、例えば、４００μｍ程度の厚さで形成される。
【００２０】
導電層５０は、第１絶縁層４０に重ねて配置される。具体的には、導電層５０の一面は、第１絶縁層４０の他面に重ねて配置される。導電層５０は、例えば、アルミ層である。導電層５０は、ＲＦＩＤタグ１の貼付先である金属面に誘電される電力を打ち消すべく配置される。導電層５０は、例えば、９μｍ程度の厚さで形成される。
【００２１】
第２絶縁層６０は、導電層５０に重ねて配置される。具体的には、第２絶縁層６０の一面は、導電層５０の他面に重ねて配置される。第２絶縁層６０は、例えば、両面テープである。第２絶縁層６０は、例えば、絶縁体であるゴム糊と、ＰＥＴとを用いて形成される。第２絶縁層６０は、例えば、７０μｍ程度の厚さで形成される。
【００２２】
離型紙層７０は、第２絶縁層６０に重ねて配置される。具体的には、離型紙層７０の一面は、第２絶縁層６０の他面に重ねて配置される。離型紙層７０は、金属面に貼付される前に除去されることで、第２絶縁層６０を露出可能に構成される。離型紙層７０は、例えば、８０μｍ程度の厚さで形成される。
【００２３】
ＲＦＩＤタグ１によれば、離型紙層７０が剥離された後、第２絶縁層６０は、金属面に貼付される。ＩＣ３０は、リーダ（ハンディリーダ、図示せず）から照射される電波から起電力を得て、内部に記録されている情報を出力する。アンテナ部材１０は、ＩＣ３０から出力された情報を外部に放射する。
【００２４】
導電層５０は、ハンディリーダによって金属面に誘起される電力に応じて、逆方向の電力を発生させる。これにより、導電層５０は、例えば、金属面から放射される電波を打ち消すように作用すると考えられる。したがって、導電層５０は、金属面からアンテナ部材１０に影響する磁場を打ち消していると考えられる。
【００２５】
次に、本実施形態のアンテナ部材１０について説明する。
アンテナ部材１０は、電力をＩＣ３０に供給するとともに、ＩＣ３０から出力された情報を外部に出力する構成である。アンテナ部材１０は、図２に示すように、アンテナ本体１１と、ＩＣ配置部１２と、を備える。
【００２６】
アンテナ本体１１は、本体部１１０と、孔部１２０と、を備える。本実施形態において、アンテナ本体１１は、外形を矩形または略矩形に形成される。
【００２７】
本体部１１０は、導電性材料で形成される。本体部１１０は、平面視矩形に形成される。本実施形態において、本体部１１０は、平面視長方形に形成される。本体部１１０は、Ｕ字状部１１１と、第１はり部１１２と、スペーサ部１１３と、第２はり部１１４と、けた部１１５と、突出部１１６と、を備える。
【００２８】
Ｕ字状部１１１は、本体部１１０の長さ方向Ｌの一端に配置される。Ｕ字状部１１１は、例えば、底となる位置を本体部１１０の長さ方向Ｌの一端側に配置され、開口となる位置を長さ方向Ｌの他端側に配置される。
【００２９】
第１はり部１１２は、本体部１１０の長さ方向Ｌに沿って所定の幅で配置される。第１はり部１１２は、例えば、Ｕ字状部１１１の一端から延びる。第１はり部１１２の幅方向Ｗの一端は、本体部１１０の幅方向Ｗの一端と同じ位置に配置される。
【００３０】
スペーサ部１１３は、Ｕ字状部１１１の他端に一端を隣接して配置される。スペーサ部１１３は、例えば、矩形に形成され、本体部１１０の長さ方向Ｌに沿って所定の幅で配置される。本実施形態において、スペーサ部１１３は、第１はり部１１２よりも大きな幅で形成される。また、本実施形態において、スペーサ部１１３は、第１はり部１１２よりも短い長さで形成される。スペーサ部１１３の幅方向Ｗの一端は、第１はり部１１２の幅方向Ｗの他端と空間を開けて対向配置される。また、スペーサ部１１３の幅方向Ｗの他端、本体部１１０の幅方向Ｗの他端と同じ位置に配置される。
【００３１】
第２はり部１１４は、本体部１１０の長さ方向Ｌに沿って所定の幅で配置される。第２はり部１１４は、例えば、スペーサ部１１３から伸びる。本実施形態において、第２はり部１１４は、スペーサ部１１３の幅方向Ｗの一端且つ長さ方向Ｌの他端から伸びる。第２はり部１１４の幅方向Ｗの一端は、第１はり部１１２の幅方向Ｗの他端と空間を開けて対向配置される。第２はり部１１４の長さ方向Ｌの他端は、第１はり部１１２の長さ方向Ｌの他端と長さ方向Ｌにおいて同じ位置に配置される。
【００３２】
けた部１１５は、本体部１１０の他端の幅方向Ｗに沿って配置される。けた部１１５は、例えば、長さ方向Ｌの一端において、第１はり部１１２の長さ方向Ｌの他端と、第２はり部１１４の長さ方向Ｌの他端と隣接して配置される。けた部１１５の長さ方向Ｌの他端は、本体部１１０の長さ方向Ｌの他端と重なる位置に配置される。また、けた部１１５の幅方向Ｗの一端は、第１はり部１１２の幅方向Ｗの一端を長さ方向Ｌに延伸した位置に配置される。そして、けた部１１５の幅方向Ｗの中間部には、第２はり部１１４の長さ方向Ｌの他端が接続される。
【００３３】
突出部１１６は、一対に配置される。一対の突出部１１６は、スペーサ部１１３の幅よりも短い幅を有する。一方の突出部１１６は、スペーサ部１１３の長さ方向Ｌの他端から伸びる。一方の突出部１１６は、スペーサ部１１３の幅方向Ｗの他端を長さ方向Ｌに沿って延伸した幅方向Ｗの他端を有する。一方の突出部１１６の幅方向Ｗの一端は、第２はり部１１４の幅方向Ｗの他端に空間を開けて対向配置される。また、一方の突出部１１６は、第２はり部１１４の長さよりも短い長さで形成される。他方の突出部１１６は、けた部１１５の長さ方向Ｌの一端から伸びる。他方の突出部１１６は、けた部１１５の幅方向Ｗの他端を長さ方向Ｌに延伸した幅方向Ｗの他端を有する。他方の突出部１１６の幅方向Ｗ一端は、第２はり部１１４の幅方向Ｗの他端に空間を開けて対向配置される。また、他方の突出部１１６は、第２はり部１１４の長さよりも短い長さで形成される。また、突出部１１６は、後述する凹条部１２３の表面から突出する。
【００３４】
孔部１２０は、本体部１１０を厚さ方向ｄに貫通する。孔部１２０は、主孔部１２１と、長孔部１２２と、凹条部１２３と、を備える。
【００３５】
主孔部１２１は、本体部１１０の一端もしくは両端に配置される。主孔部１２１は、例えば、Ｕ字状部１１１に囲まれる領域に形成される。具体的には、主孔部１２１は、Ｕ字状部１１１、第１はり部１１２、及びスペーサ部１１３に囲まれる領域に配置される。なお、主孔部１２１は、本体部１１０の両端に配置される場合、後述する長孔部１２２の他端側に連接して配置されてよい。また、この場合、突出部１１６は設けられなくてもよい。
【００３６】
長孔部１２２は、主孔部１２１に連接して本体部１１０の長さ方向Ｌに沿って延びる。長孔部１２２は、例えば、第１はり部１１２、第２はり部１１４、及びけた部１１５に囲まれた領域に配置される。具体的には、長孔部１２２は、第１はり部１１２の幅方向Ｗの他端と、第２はり部１１４の幅方向Ｗの一端と、けた部１１５の長さ方向Ｌの一端とで形成される。
【００３７】
凹条部１２３は、本体部１１０の幅方向Ｗの一端から長孔部１２２の幅方向Ｗの一端に向けて凹む。凹条部１２３は、長孔部１２２の幅方向Ｗに並設される。凹条部１２３は、例えば、本体部１１０の幅方向Ｗの他端から、第２はり部１１４の幅方向Ｗの他端の位置まで凹む。すなわち、凹条部１２３は、第２はり部１１４の他端を底とするとともに、スペーサ部１１３の長さ方向Ｌの他端とけた部１１５の長さ方向Ｌの一端とを側壁として形成される。
【００３８】
ＩＣ配置部１２は、本体部１１０の長さ方向Ｌの他端に接続される。ＩＣ配置部１２は、例えば、Ｕ字状部１１１に接続される。ＩＣ配置部１２は、ＩＣ３０の配置位置として構成される。ＩＣ配置部１２は、本体部１１０に接触して配置される第１端子１３１と、第１端子１３１とは離れて配置される第２端子１３２と、を備える。なお、本実施形態では、ＩＣ配置部１２は、オフセット給電を例示する構成である。本実施形態におけるＩＣ配置部１２は、例えば、給電回路（図示せず）を内部に含むＩＣ３０であって、抵抗の高いＩＣ３０に給電する回路として構成される。
【００３９】
第１端子１３１は、導電性を有する。第１端子１３１は、ＩＣ３０及びアンテナ部材１０を電気的または電磁界結合によって接続する。本実施形態において、第１端子１３１は、矩形に形成される。
【００４０】
第２端子１３２は、導電性を有する。第２端子１３２は、オフセット給電用に形成される。第２端子１３２は、第１端子１３１とは物理的に離して配置される。そして、第２端子１３２は、第１端子１３１とは別にＩＣ３０に電気的または電磁界結合によって接続される。本実施形態において、第２端子１３２は、Ｔ字状に形成される。第２端子１３２は、放射に寄与しないように放射波長の１／２以下の周長で形成されるのが好ましい。
【００４１】
次に、本実施形態のアンテナ部材１０の作用について説明する。
アンテナ部材１０は、ハンディリーダからの給電を受けると、図３に示すように、ＩＣ配置部１２、第１はり部１１２、突出部１１６、スペーサ部１１３、及びＵ字状部１１１の幅方向Ｗの他端部をコンデンサとして作用させる。一方、アンテナ部材１０は、第２はり部１１４と、Ｕ字状部１１１の幅方向Ｗの一端部をコイルとして作用させる。すなわち、アンテナ部材１０は、第２はり部１１４と、Ｕ字状部１１１の幅方向Ｗの一端部を放射部分として作用させる。本実施形態におけるアンテナ部材１０では、ＩＣ配置部１２から給電された電力は、本体部１１０の外周部を流れる。すなわち、電力は、Ｕ字状部１１１の外周、第１はり部１１２の幅方向Ｗの一端、けた部１１５の長さ方向Ｌの他端、突出部１１６の外周、第２はり部１１４の幅方向Ｗの他端、及びスペーサ部１１３の幅方向Ｗの他端を通る。また、電力は、Ｕ字状部１１１の内周、第１はり部１１２の幅方向Ｗの他端、けた部１１５の長さ方向Ｌの一端、及び第２はり部１１４の幅方向Ｗの一端を通る。このとき、第２はり部１１４の幅方向Ｗの他端と、突出部１１６の外周との位置が幅方向Ｗで重ならない。これにより、第２はり部１１４及び突出部１１６の間で長さ方向Ｌにおいて重ならない位置が発生する。例えば、一対の突出部１１６の長さ方向Ｌにおける間隙部分が重ならない位置として発生する。重ならない位置で線路長に差が発生するため、電波を放射することができると考えられる。なお、主孔部１２１が２つ設けられる場合には、電力は、第１はり部１１２の一部を流れる。すなわち、主孔部１２１が２つ設けられる場合、電力は、２つの主孔部１２１の間に配置される第１はり部１１２を流れる。
【００４２】
［実施例］
以下、本実施形態による実施例を説明する。実施例では、アンテナの形状を変更してハンディリーダによって電波を受信できるかどうかについて調べた。
【００４３】
［実施例１］
図２に示すように、上記実施形態のＲＦＩＤについて、厚さ３ｍｍのＳＵＳ板中央部に貼り付けた。その後、ＤＥＮＳＯハンディリーダ（９２０ＭＨＺの電波を照射）で読み取り性を確認した。その結果、ＲＦＩＤから０．３ｍ離れた位置まで読み取ることができた。
【００４４】
［実施例２］
図４に示すように、上記実施形態のＲＦＩＤについて、ＩＣ配置部１２を本体部１１０の長さ方向Ｌの他端側につけた。そして、ＲＦＩＤを厚さ３ｍｍのＳＵＳ板中央部に貼り付けた。その後、ＤＥＮＳＯハンディリーダ（９２０ＭＨＺの電波を照射）で読み取り性を確認した。その結果、ＲＦＩＤから０．２ｍ離れた位置まで読み取ることができた。
【００４５】
［実施例３］
図５に示すように、上記実施形態のＲＦＩＤについて、主孔部１２１を本体部１１０の長さ方向Ｌの両端に一対に配置した。そして、凹条部１２３を主孔部１２１の間に配置するとともに、突出部１１６を除いた。そして、ＲＤＩＦを厚さ３ｍｍのＳＵＳ板中央部に貼り付けた。その後、ＤＥＮＳＯハンディリーダ（９２０ＭＨＺの電波を照射）で読み取り性を確認した。その結果、ＲＦＩＤから０．４５ｍ離れた位置まで読み取ることができた。
【００４６】
［実施例３］
図５に示すように、上記実施形態のＲＦＩＤについて、スペーサ部１１３にさらなる孔部（追加孔部１２４）を設けた。そして、ＲＦＩＤを厚さ３ｍｍのＳＵＳ板中央部に貼り付けた。その後、ＤＥＮＳＯハンディリーダ（９２０ＭＨＺの電波を照射）で読み取り性を確認した。その結果、ＲＦＩＤから０．１ｍ離れた位置まで読み取ることができた。
【００４７】
［比較例１］
図６に示すように、本体部１１０の中央部に孔を形成したＲＦＩＤについて、厚さ３ｍｍのＳＵＳ板中央部に貼り付けた。その後、ＤＥＮＳＯハンディリーダ（９２０ＭＨＺの電波を照射）で読み取り性を確認した。中央部の孔によって比較的細くなる第１はり部が形成され放射可能と考えられる部分は形成されるが、比較例２と同様外周と幅方向Ｗで重なる部分にあることで金属面からの影響が強く読み取れる放射は得られず、結果読み取れなかった。
【００４８】
［比較例２］
図７に示すように、孔部１２０を形成していない本体部１１０を用いたＲＦＩＤについて、厚さ３ｍｍのＳＵＳ板中央部に貼り付けた。その後、ＤＥＮＳＯハンディリーダ（９２０ＭＨＺの電波を照射）で読み取り性を確認した。導電層５０によって金属面からの放射はある程度打ち消されるが、アンテナ本体１１は導体の外周と幅方向Ｗで重なる部分は金属面からの影響が強く読み取れる放射が得られず、結果読み取れなかった。
【００４９】
［比較例３］
図８に示すように、凹条部１２３及び突出部１１６のみを形成した本体部１１０を用いたＲＦＩＤについて、厚さ３ｍｍのＳＵＳ板中央部に貼り付けた。その後、ＤＥＮＳＯハンディリーダ（９２０ＭＨＺの電波を照射）で読み取り性を確認した。凹条部１２３によって外周と幅方向Ｗに重ならない位置が存在しているが、長孔部と凹条部に挟まれた位置に第２はり部が形成されておらずスペーサ部とはり部の構成も無い為、読み取れる放射が得られず、結果読み取れなかった。
【００５０】
以上のように、本体部１１０に、スペーサ部１１３と、比較的細くなる部分（第２はり部１１４）とを形成することで、電波を放射可能になると思われる。すなわち、ＲＦＩＤタグ１のアンテナとして用いることができると思われる。また、突出部１１６の長さを変更することで、放射される電波の強度を変更することが可能であると考えられる。すなわち、突出部１１６の長さを調整することで、放射する電波の距離（ハンディリーダで読み取れる距離）を調整することができると考えられる。また、突出部１１６の長さを調整することで、コイルとなる第２はり部１１４の長さ方向Ｌの位置を調整できる。したがって、ＩＣ３０からの出力の読み取りに用いられる電波の周波数に応じて突出部１１６の長さを変更することで、用いる周波数に応じてＲＦＩＤタグ１の感度を調整することができる。
【００５１】
以上の本実施形態のアンテナ部材１０及びによれば、以下の効果を奏する。
（１）  ＲＦＩＤタグ１に用いられるアンテナ部材１０であって、導電性材料で平面視矩形に形成される平板状の本体部１１０と、本体部１１０を厚さ方向ｄに貫通する孔部１２０と、を備え、孔部１２０は、本体部１１０の一端部に配置される主孔部１２１と、主孔部１２１に連設して本体部１１０の長さ方向Ｌに沿って伸びる長孔部１２２と、本体部の幅方向Ｗの一端から長孔部１２２の幅方向Ｗの一端に向けて凹む凹条部１２３であって、長孔部１２２の幅方向Ｗに並設される凹条部１２３と、を有する。これにより、より薄い厚さのアンテナ部材１０を得ることができる。したがって、ＲＦＩＤタグ１の使い勝手をより良くすることができる。
【００５２】
（２）  アンテナ部材１０は、本体部１１０は、凹条部１２３の表面から突出して、長さ方向Ｌに沿って伸びる突出部１１６をさらに備える。これにより、突出部１１６を用いて応答可能な周波数帯域を調整することができる。したがって、より柔軟性の高いアンテナ部材１０を得ることができる。
【００５３】
（３）  突出部１１６は、互いに対向する方向に一対に伸びる。これにより、応答可能な周波数帯域の調整をさらに柔軟にすることができる。
【００５４】
（４）  突出部１１６は、本体部１１０の幅方向Ｗの一端に配置される。これにより、ＲＦＩＤタグ１の応答性能を向上することができる。
【００５５】
以上、本発明のアンテナ部材１０及びＲＦＩＤタグ１の好ましい一実施形態につき説明したが、本発明は、上述の実施形態に制限されるものではなく、適宜変更が可能である。
例えば、上記実施形態において、スペーサ部１１３が無い形態では、ハンディターミナルによる読み取りが困難なことが多かった。したがって、スペーサ部１１３を設けることが読み取り改善につながると思われる。
【００５６】
また、上記実施形態において、主孔部１２１の大きさや、長孔部１２２の長さ等は、本体部１１０の大きさに依存して変更されてよい。
【００５７】
また、上記実施形態において、アンテナ部材１０の小型化を図るために、ＩＣ配置部１２は、オフセット給電タイプで説明されたが、これに制限されない。例えば、ＩＣ３０の抵抗値を低くすることができれば、第２端子は、他のアンテナ部材１０に置き換えられてもよい。また、ＩＣ配置部１２は、アンテナ部材１０とは別の構成として給電回路を構成できるので、ＩＣ３０の変更等で抵抗値が変わった場合であっても、アンテナ部材１０の構成については変更せずに用いることができる。
【符号の説明】
【００５８】
１  ＲＦＩＤタグ
１０  アンテナ部材
３０  ＩＣ
５０  導電層
１１０  本体部
１１６  突出部
１２０  孔部
１２１  主孔部
１２２  長孔部
１２３  凹条部
ｄ  厚さ方向
Ｌ  長さ方向
Ｗ  幅方向
【図１】
2020184653.tif 000003
【図２】
2020184653.tif 000004
【図３】
2020184653.tif 000005
【図４】
2020184653.tif 000006
【図５】
2020184653.tif 000007
【図６】
2020184653.tif 000008
【図７】
2020184653.tif 000009
【図８】
2020184653.tif 000010
【図９】
2020184653.tif 000011